(57)【特許請求の範囲】
【請求項１】
スピンドルを回転自在に支持するハウジングの先端部分には、先端工具の設定回転トルクを変更するためのチェンジリングが前記ハウジングに対して軸心回りに回転可能に取付けられており、前記チェンジリングの先端には複数の照明具が円周方向に間隔をおいて装着されている電動工具であって、
前記照明具を動作させる電気回路には、
前記チェンジリングと同軸に保持されて、相互に電気的に絶縁された一対の環状の導電性リングと、
前記導電性リングと電気的に接続されて、前記ハウジングに対する前記チェンジリングの回転により、それらの導電性リングに沿って円周方向に相対摺動可能に構成された一対の端子とが設けられており、
前記照明具の端子は、先端部以外が軸状の支持材に埋め込まれた状態で前記チェンジリングの収納部に通されており、前記端子の先端部がそのチェンジリングの後端面から後方に突出し、前記チェンジリングの後方に設置された導電性リングに接続されていることを特徴とする電動工具。
【請求項２】
スピンドルを回転自在に支持するハウジングの先端部分には、先端工具の設定回転トルクを変更するためのチェンジリングが前記ハウジングに対して軸心回りに回転可能に取付けられており、前記チェンジリングの先端には第１の照明具及び第２の照明具が円周方向に間隔をおいて固定されている電動工具であって、
前記第１の照明具及び前記第２の照明具を動作させる電気回路には、
前記チェンジリングと同軸に保持されて、相互に電気的に絶縁された第１の環状の導電性リング及び第２の環状の導電性リングと、
前記第１の環状の導電性リング及び前記第２の環状の導電性リングと電気的に接続されて、前記ハウジングに対する前記チェンジリングの回転により、それらの導電性リングに沿って円周方向に相対摺動可能に構成される第１の一対の端子とが設けられており、
前記第１の環状の導電性リング及び前記第２の環状の導電性リングと電気的に接続されて、前記ハウジングに対する前記チェンジリングの回転により、それらの導電性リングに沿って円周方向に相対摺動可能に構成される第２の一対の端子とが設けられており、
前記第１の照明具の後方に前記第１の一対の端子を設け、前記第２の照明具の後方に前記第２の一対の端子を設けたことを特徴とする電動工具。
【請求項３】
請求項１又は請求項２のいずれかに記載された電動工具であって、
前記一対の導電性リングは、前記ハウジングの内部に固定されて、一方の導電性リングに前記照明具の一方の端子が接続され、他方の導電性リングに前記照明具の他方の端子が接続されており、
一方の導電性リングが電源回路の正側、他方の導電性リングが電源回路の負側に接続可能に構成されていることを特徴とする電動工具。
【請求項４】
請求項１から請求項３のいずれかに記載された電動工具であって、
前記導電性リングには円周方向に延びる溝が形成されており、前記溝に前記端子が嵌合していることを特徴とする電動工具。
【請求項５】
請求項１から請求項４のいずれかに記載された電動工具であって、
一方の導電性リングと他方の導電性リングとは異なる径寸法で、両導電性リングが同軸、かつ軸方向同位置に配置されており、一方の導電性リングと他方の導電性リング間に絶縁部材が配置されていることを特徴とする電動工具。
【請求項６】
請求項１から請求項４のいずれかに記載された電動工具であって、
一方の導電性リングと他方の導電性リングとは異なる径寸法で、両導電性リングが同軸、かつ軸方向にずれた状態で配置されていることを特徴とする電動工具。
【発明の詳細な説明】
【技術分野】
【０００１】
本発明は、手持ち状態でネジ締め等の作業が可能な電動工具に関し、詳しくは先端工具の設定回転トルクを変更するためのチェンジリングに複数の照明具が装着されている電動工具に関する。
【背景技術】
【０００２】
これに関連する電動工具が特許文献１に記載されている。
この電動工具は、図７（Ａ）に示すように、先端工具の設定回転トルクを変更するためのチェンジリング１０５がハウジング１０２の先端部分に同軸に取付けられて、そのハウジング１０２に対して軸心回りに回転可能に構成されている。さらに、チェンジリング１０５の先端には四個の照明具１０６が円周方向に等間隔で装着されている。
四個の照明具１０６は、チェンジリング１０５の内側に固定された円板状の基板１０７に取付けられている。円板状の基板１０７は、図７（Ｂ）に示すように、四個の照明具１０６の端子が接続される正側の半円導体部１０８ａと負側の半円導体部１０８ｂとを備えており、それらの半円導体部１０８ａ，１０８ｂが基板１０７の裏面側で同一中心円上に位置するように露出して配置されている。そして、基板１０７の正側及び負側の半円導体部１０８ａ，１０８ｂに対し、ハウジング１０２側の定位置に設けられた電源プラス端子１０９ａとマイナス端子１０９ｂとがそれぞれ相対摺動可能な状態で軸方向から接触している。これにより、四個の照明具１０６が同時に点灯するようになり、作業中に先端工具の周囲を良好に照らすことができる。
【０００３】
【特許文献１】ＤＥ  ３８３１３４４  Ａ１
【発明の開示】
【発明が解決しようとする課題】
【０００４】
上記したように、チェンジリング１０５における基板１０７の正側及び負側の半円導体部１０８ａ，１０８ｂは基板１０７の裏面側で同一中心円上に位置するように露出している。即ち、正側及び負側の半円導体部１０８ａ，１０８ｂはそれぞれ円周方向に約180°の範囲内で形成されている。このため、チェンジリング１０５をハウジング側の電源プラス端子１０９ａ、マイナス端子１０９ｂに対して180°以上回転させると、チェンジリング１０５側の半円導体部１０８ａ，１０８ｂがハウジング側の電源端子１０９ａ，１０９ｂから外れてしまう。
近年、トルク調整幅を極力大きく取りたいため、チェンジリングを180°以上回転させることはごく一般的である。しかし、上記構成では、チェンジリング１０５をハウジング１０２に対して180°以上回転させることはできない。
【０００５】
本発明は、上記問題点を解決するためになされたものであり、本発明が解決しようとする課題は、チェンジリングに照明具を装着した場合でも、チェンジリングの回転可能範囲が制限されないようにすることである。
【課題を解決するための手段】
【０００６】
上記した課題は、各請求項の発明によって解決される。
請求項１の発明は、スピンドルを回転自在に支持するハウジングの先端部分には、先端工具の設定回転トルクを変更するためのチェンジリングが前記ハウジングに対して軸心回りに回転可能に取付けられており、前記チェンジリングの先端には複数の照明具が円周方向に間隔をおいて装着されている電動工具であって、前記照明具を動作させる電気回路には、前記チェンジリングと同軸に保持されて、相互に電気的に絶縁された一対の環状の導電性リングと、前記導電性リングと電気的に接続されて、前記ハウジングに対する前記チェンジリングの回転により、それらの導電性リングに沿って円周方向に相対摺動可能に構成された一対の端子とが設けられており、前記照明具の端子は、先端部以外が軸状の支持材に埋め込まれた状態で前記チェンジリングの収納部に通されており、前記端子の先端部がそのチェンジリングの後端面から後方に突出し、前記チェンジリングの後方に設置された導電性リングに接続されていることを特徴とする。
【０００７】
本発明によると、照明具の電気回路は一対の環状の導電性リングと、それらの導電性リングと電気的に接続された一対の端子を備えている。そして、前記一対の端子がハウジングに対するチェンジリングの回転により、それらの導電性リングに沿って円周方向に相対摺動可能に構成されている。このため、ハウジングに対するチェンジリングの回転角度に係わらず前記端子と前記導電性リングとの電気的な接続が確保される。したがって、前記端子と導電性リングとを使用することで、チェンジリングの回転角度に係わらず照明具を点灯させることが可能になる。即ち、チェンジリングに照明具を装着することで、そのチェンジリングの回転可能範囲が制限されるような不具合がない。
また、照明具の端子は、先端部のみが支持材から露出する構成のため、照明具の端子が変形し難くなる。
【０００８】
請求項２の発明によると、スピンドルを回転自在に支持するハウジングの先端部分には、先端工具の設定回転トルクを変更するためのチェンジリングが前記ハウジングに対して軸心回りに回転可能に取付けられており、前記チェンジリングの先端には第１の照明具及び第２の照明具が円周方向に間隔をおいて固定されている電動工具であって、前記第１の照明具及び前記第２の照明具を動作させる電気回路には、前記チェンジリングと同軸に保持されて、相互に電気的に絶縁された第１の環状の導電性リング及び第２の環状の導電性リングと、前記第１の環状の導電性リング及び前記第２の環状の導電性リングと電気的に接続されて、前記ハウジングに対する前記チェンジリングの回転により、それらの導電性リングに沿って円周方向に相対摺動可能に構成される第１の一対の端子とが設けられており、前記第１の環状の導電性リング及び前記第２の環状の導電性リングと電気的に接続されて、前記ハウジングに対する前記チェンジリングの回転により、それらの導電性リングに沿って円周方向に相対摺動可能に構成される第２の一対の端子とが設けられており、前記第１の照明具の後方に前記第１の一対の端子を設け、前記第２の照明具の後方に前記第２の一対の端子を設けたことを特徴とする。
請求項３の発明によると、一対の導電性リングは、ハウジングの内部に固定されて、一方の導電性リングに照明具の一方の端子が接続され、他方の導電性リングに前記照明具の他方の端子が接続されており、一方の導電性リングが電源回路の正側、他方の導電性リングが電源回路の負側に接続可能に構成されていることを特徴とする。
このように、ハウジング側に導電性リングを固定する構成のため、導電性リングの配置の自由度が向上する。
請求項４の発明によると、導電性リングには円周方向に延びる溝が形成されており、溝に前記端子が嵌合していることを特徴とする。
このため、端子が導電性リングに対して半径方向に離れることがなく、前記端子と導電性リングとの接続を確保できる。
【０００９】
請求項５の発明によると、一方の導電性リングと他方の導電性リングとは異なる径寸法で、両導電性リングが同軸、かつ軸方向同位置に配置されており、一方の導電性リングと他方の導電性リング間に絶縁部材が配置されていることを特徴とする。
このため、両導電性リングと端子との接続部分における軸方向寸法を小さくできる。
請求項６の発明によると、一方の導電性リングと他方の導電性リングとは異なる径寸法で、両導電性リングが同軸、かつ軸方向にずれた状態で配置されていることを特徴とする。
【発明の効果】
【００１０】
本発明によると、チェンジリングに照明具を装着しても、そのチェンジリングの回転可能範囲が制限されることがない。
【発明を実施するための最良の形態】
【００１１】
（実施形態１）
以下、図１から図６に基づいて、本発明の実施形態１に係る電動工具の説明を行なう。本実施形態に係る電動工具は、電動ドライバドリルであり、図１に前記電動ドライバドリル（以下、電動工具という）を右前方から見た斜視図が示されている。図２は、その電動工具を右側から見た一部破断断側面、図３は図２のIII-III矢視図、図４は図２のIV部拡大図である。また、図５は前記電動工具の照明具を表す斜視図、図６は照明用電気回路図である。
ここで、図中の前後左右及び上下は、電動工具の前後左右及び上下に対応している。
【００１２】
＜電動工具の概要について＞
電動工具１０は、筒状のハウジング本体部１１と、そのハウジング本体部１１の下面側から下方に突出するように形成されたグリップ部１２とを備えている。そして、前記グリップ部１２の上端位置（基端部）に、使用者が指先で引き操作するトリガ形式のスイッチレバー１３が設けられている。また、グリップ部１２の下端部（先端部）には、電動工具１０の電源となるバッテリ１７が連結されるバッテリ連結部１２ｈが設けられている。
電動工具１０のハウジング本体部１１には、先端部分に先端工具（図示省略）の回転トルクを調整するための筒状のチェンジリング１５が軸心回りに回転可能な状態で装着されている。また、チェンジリング１５の先端からはスピンドル２５（図２参照）の先端部が軸方向に突出しており、そのスピンドルの先端部周囲に前記先端工具を把持するチャック１４が装着されている。
さらに、ハウジング本体部１１には、チェンジリング１５の後側位置に設定トルクを表す目盛りが円周方向に形成されている。
【００１３】
ハウジング本体部１１には、図２に示すように、後側から順番にモータ２０、第１遊星歯車機構２１、第２遊星歯車機構２２、及び第３遊星歯車機構２３が同軸に収納されている。モータ２０は、電動工具１０の駆動源であり、そのモータ２０の回転が第１〜第３遊星歯車機構２１，２２，２３によって減速された後、スピンドル２５に伝達される。そして、スピンドル２５の回転力がチャック１４を介して先端工具（図示省略）に伝達される。
チェンジリング１５は、ハウジング本体部１１に対して軸心回りに回転することで、第３遊星歯車機構２３の外輪歯車２３ｐを軸方向（前方）から押圧するスプリング１５ｓのバネ力を増減できるように構成されている。即ち、チェンジリング１５を回転トルク大方向に回転させると、スプリング１５ｓのバネ力は大きくなり、外輪歯車２３ｐは回転し難くなる。逆に、チェンジリング１５を回転トルク小方向に回転させると、スプリング１５ｓのバネ力は小さくなり、外輪歯車２３ｐは回転し易くなる。
【００１４】
ここで、第２遊星歯車機構２２の回転力により第３遊星歯車機構２３の遊星歯車２３ｙが回転し、外輪歯車２３ｐが回転しない状態では、前記遊星歯車２３ｙは回転しながら外輪歯車２３ｐの内側に沿って移動する。これにより、第３遊星歯車機構２３の遊星歯車２３ｙを保持する出力軸２３ｘ、及びその出力軸２３ｘに連結されたスピンドル２５が回転するようになる。逆に、第２遊星歯車機構２２の回転力により第３遊星歯車機構２３の遊星歯車２３ｙと外輪歯車２３ｐとが共に回転する状態では、前記遊星歯車２３ｙは定位置で回転するようになる。これにより、第３遊星歯車機構２３の遊星歯車２３ｙを保持する出力軸２３ｘは回転せず、スピンドル２５も回転しない。
したがって、チェンジリング１５でスプリング１５ｓのバネ力を大きくして、前記外輪歯車２３ｐの回転に必要な力を大きくすると、スピンドル２５及び先端工具がネジ等から大きな回転反力を受けた場合でも、先端工具等は停止し難くなる。即ち、先端工具の回転トルクは大きくなる。逆に、チェンジリング１５でスプリング１５ｓのバネ力を小さくし、外輪歯車２３ｐの回転に必要な力を小さくすると、スピンドル２５及び先端工具がネジ等から比較的小さな回転反力を受けた場合にも、先端工具等は停止し易くなる。即ち、先端工具の回転トルクは小さくなる。
【００１５】
また、ハウジング本体部１１の上面には、速度切替え用のレバー１８が設けられている。前記レバー１８は、第２遊星歯車機構２２の外輪歯車２２ｐを前後に移動させるレバーであり、図２に示すように、外輪歯車２２ｐが前端位置にある状態で、その外輪歯車２２ｐの回転は禁止される。これにより、第１遊星歯車機構２１の出力歯車２１ｅの回転が第２遊星歯車機構２２により減速されて第３遊星歯車機構２３に伝えられる。即ち、スピンドル２５は低速回転になる。
逆に、第２遊星歯車機構２２の外輪歯車２２ｐが後端位置にある状態では、その外輪歯車２２ｐが第１遊星歯車機構２１の出力歯車２１ｅのスプライン２１ｓと噛合する。これにより、第２遊星歯車機構２２の外輪歯車２２ｐ、遊星歯車２２ｙ、出力歯車２２ｅが一体で第１遊星歯車機構２１の出力歯車２１ｅと共に回転して、その出力歯車２２ｅの回転が第３遊星歯車機構２３に伝えられる。即ち、第１遊星歯車機構２１の出力歯車２１ｅの回転が第２遊星歯車機構２２で減速されず、そのまま第３遊星歯車機構２３に伝えられる。このため、スピンドル２５は高速回転となる。
【００１６】
＜照明ユニットについて＞
次に、電動工具１０の照明ユニット４０について説明する。
照明ユニット４０は、図３〜図５に示すように、チェンジリング１５に装着された三個の照明具４１と、それらの照明具４１が接続されるリング状部材４４と、前記照明具４１を点灯させる電気回路５０とを備えている。
照明具４１は、図５（Ａ）に示すように、ＬＥＤ４２と、そのＬＥＤ４２を支持する支持材４３とから構成されている。支持材４３は、軸状に形成された樹脂材で、先端側にＬＥＤ４２が同軸に取付けられている。前記ＬＥＤ４２は、図４に示すように、そのＬＥＤ４２の背面側から後方に突出する二本の棒状の端子４２ｔを備えており、それらの端子４２ｔが支持材４３の内部に埋め込まれている。そして、それらの端子４２ｔの先端部が支持材４３の基端面から軸方向（後方）に突出している。
チェンジリング１５の内壁面には、図４に示すように、そのチェンジリング１５の前端から後端まで軸方向に延びる収納溝１５ｍが円周方向に120°間隔で三箇所形成されている。そして、それらの収納溝１５ｍに照明具４１が収納されている。照明具４１は、ＬＥＤ４２が前側となるようにチェンジリング１５の収納溝１５ｍに収納されて、その収納溝１５ｍに固定される。そして、照明具４１の端子４２ｔの先端部がチェンジリング１５の収納溝１５ｍから後方に突出している。
即ち、チェンジリング１５の収納溝１５ｍが本発明の収納部に相当する。
【００１７】
ハウジング本体部１１の内部には、図４に示すように、チェンジリング１５の後方位置に照明具４１の端子４２ｔが接続されるリング状部材４４が前記チェンジリング１５と同軸に固定されている。
リング状部材４４は、図５（Ａ）（Ｂ）に示すように、大径の第１導電性リング４５と、小径の第２導電性リング４６と、両導電性リング４５，４６を同軸、かつ軸方向同位置に保持して相互に絶縁する樹脂リング４７とから構成されている。即ち、樹脂リング４７が本発明の絶縁部材に相当する。
第１、第２導電性リング４５，４６は、金属製で、図５（Ｂ）に示すように、横断面形状が略横向きＵ字形に形成されている。即ち、第１、第２導電性リング４５，４６には、前面側で開放する溝４５ｍ，４６ｍが円周方向に連続して延びるように形成されており、各々の溝４５ｍ，４６ｍに対して照明具４１の端子４２ｔが軸方向から嵌合する。
【００１８】
このため、チェンジリング１５と共に各照明具４１が回転すると、各照明具４１の両端子４２ｔはそれぞれ第１、第２導電性リング４５，４６の溝４５ｍ，４６ｍに沿って円周方向に摺動するようになる。即ち、チェンジリング１５の回転に係わらず照明具４１の両端子４２ｔと第１、第２導電性リング４５，４６との電気的な接続が確保される。
リング状部材４４の樹脂リング４７は、例えば、第１、第２導電性リング４５，４６を成形型（図示省略）内にインサートした状態で、前記成形型内に樹脂を射出することにより成形される。
また、リング状部材４４の下端部には、第１、第２導電性リング４５，４６にそれぞれ接続される第１、第２リード線５５，５６が設けられている。
【００１９】
照明ユニット４０の電気回路５０は、図６に示すように、リング状部材４４の第１、第２リード線５５，５６、及び第１、第２導電性リング４５，４６を介して各々の照明具４１に対して電力を供給できるように構成されている。即ち、電気回路５０は、電動工具１０のバッテリ１７を電源とする電気回路であり、スイッチレバー１３が引き操作されることでオンする制御部５１を備えている。制御部５１はスイッチレバー１３のオン信号を予め決められた時間保持した状態でスイッチ部５３に出力できるように構成されている。スイッチ部５３は、各々の照明具４１、第１、第２導電性リング４５，４６等に対して直列に設置されており、制御部５１からの信号でオンすることにより各々の照明具４１を点灯させる。なお、各々の照明具４１に対して直列に設置された抵抗５４は電流調整用として使用される。
即ち、スイッチレバー１３が引き操作されると、予め決められた時間だけスイッチ部５３がオンし、各々の照明具４１が点灯するようになる。
【００２０】
＜本実施形態に係る電動工具の長所について＞
本実施形態に係る電動工具１０によると、照明具４１の電気回路５０は一対の環状の導電性リング４５,４６と、それらの導電性リング４５,４６と電気的に接続された一対の端子４２ｔ（照明具４１の端子４２ｔ）を備えている。そして、照明具４１の端子４２ｔがハウジング本体部１１に対するチェンジリング１５の回転により、それらの導電性リング４５,４６に沿って円周方向に相対摺動可能に構成されている。このため、ハウジング本体部１１に対するチェンジリング１５の回転角度に係わらず照明具４１の端子４２ｔと導電性リング４５,４６との電気的な接続が確保される。したがって、照明具４１の端子４２ｔと導電性リング４５,４６とを使用することで、チェンジリング１５の回転角度に係わらず照明具４１を点灯させることができる。即ち、チェンジリング１５に照明具４１を装着することで、そのチェンジリング１５の回転可能範囲が制限されるような不具合がない。
【００２１】
また、導電性リング４５,４６には、円周方向に延びる溝４５ｍ,４６ｍが形成されて、それらの溝溝４５ｍ,４６ｍに照明具４１の端子４２ｔが嵌合している。このため、照明具４１の端子４２ｔが導電性リング４５,４６に対して半径方向に離れることがなく、前記端子４２ｔと導電性リング４５,４６との接触を確保できる。
また、リング状部材４４の第１導電性リング４５は、第２導電性リング４６よりも大径で、両導電性リング４５,４６が同軸、かつ軸方向同位置に配置されており、第１導電性リング４５と第２導電性リング４６間に樹脂リング４７が配置されている。このため、両導電性リング４５,４６と照明具４１の端子４２ｔとの接続部分における軸方向寸法を小さくできる。
また、照明具４１の端子４２ｔは、先端部のみが支持材４３から露出する構成のため、照明具４１の端子４２ｔが変形し難くなる。
【００２２】
＜変更例＞
ここで、本発明は上記実施形態に限定されるものではなく、本発明の要旨を逸脱しない範囲における変更が可能である。例えば、本実施形態では、第１、第２導電性リング４５,４６をハウジング本体部１１の内部に固定し、両導電性リング４５,４６の溝４５ｍ,４６ｍに対してチェンジリング１５側の照明具４１の端子４２ｔを嵌合させる例を示した。しかし、第１、第２導電性リング４５,４６を照明具４１の端子４２ｔに接続した状態でチェンジリング１５の後端部に設け、両導電性リング４５,４６の溝４５ｍ,４６ｍに後方から第１、第２リード線５５,５６を嵌合させる構成でも可能である。この場合、第１、第２リード線５５,５６が本発明の端子に相当するようになる。
また、本実施形態では、第１、第２導電性リング４５,４６が同軸、かつ軸方向同位置に位置決めされて、両導電性リング４５,４６間に樹脂リング４７が配置されている例を示した。しかし、第１、第２導電性リング４５,４６を軸方向にずらして形成することも可能である。これにより、第１、第２導電性リング４５,４６をハウジング本体部１１内に収納する際の自由度が向上する。
また、本実施形態では、三個の照明具４１の端子４２ｔを個別に第１、第２導電性リング４５,４６に接続する例を示した。しかし、各々の照明具４１の正側端子をチェンジリング１５側でまとめ、同じく負側端子をチェンジリング１５側でまとめ、一本の正側端子、負側端子を第１、第２導電性リング４５,４６に接続する構成でも可能である。
また、照明具４１をチェンジリング１５に三個設ける例を示したが、照明具４１の個数は適宜変更可能である。
【図面の簡単な説明】
【００２３】
【図１】本実施形態に係る電動工具を右前方から見た斜視図である。
【図２】電動工具を右側から見た一部破断断側面である。
【図３】図２のIII-III矢視図である。
【図４】図２のIV部拡大図である。
【図５】電動工具の照明ユニットを表す斜視図（Ａ図）、Ａ図のB-B矢視断面図（Ｂ図）である。
【図６】照明用電気回路図である。
【図７】従来の電動工具の斜視図（Ａ図）及び照明具の電気回路の一部を表す平面図（Ｂ図）である。
【符号の説明】
【００２４】
１１・・・・ハウジング本体部（ハウジング）
１５・・・・チェンジリング
１５ｍ ・・・収納溝
２５・・・・スピンドル
４０・・・・照明ユニット
４１・・・・照明具
４２ｔ・・・端子
４３・・・・支持材
４４・・・・リング状部材
４５・・・・第１導電性リング
４５ｍ・・・溝
４６・・・・第２導電性リング
４６ｍ・・・溝
４７・・・・樹脂リング（絶縁部材）
５０・・・・電気回路
５５・・・・リード線（端子）
５６・・・・リード線（端子）
【図１】
0005117244.tif 000002
【図２】
0005117244.tif 000003
【図３】
0005117244.tif 000004
【図４】
0005117244.tif 000005
【図５】
0005117244.tif 000006
【図６】
0005117244.tif 000007
【図７】
0005117244.tif 000008